(57)【特許請求の範囲】
【請求項１】
ゴミ焼却炉又はゴミ溶融炉にゴミ等の被焼却物を搬入投入する表面を鉄製で被覆した被焼却物投入床部において、
被焼却物投入床部の施工部位と異なる場所で、鉄板を敷いた上にコンクリートを打設し形成したプレキャスト版を、所定の場所へ移設し鉄板部を上面として施工使用することを特徴とする被焼却物投入床部構造。
【請求項２】
請求項１記載の被焼却物投入床部構造において、
プレキャスト版を形成するに際し、大判の１乃至２枚の鉄板を用いることを特徴とする被焼却物投入床部構造。
【請求項３】
請求項１又は２記載の被焼却物投入床部構造において、
鉄板の裏面に吸い付き桟及び束筋、主筋及び配力筋を設けたプレキャスト版を用いることを特徴とする被焼却物投入床部構造。
【請求項４】
鉄板の接合、及びプレキャスト版内の鉄金等の溶接、及びコンクリートを打設し、プレキャスト版を形成するに際し、鉄板の端部のそりを防ぐそり防止手段を使用し、製造することを特徴とする請求項１から３の何れかに記載の被焼却物投入床部構造に使用するプレキャスト版の製造方法。
【請求項５】
請求項４記載のそり防止手段として、コンクリート床面上に、溶接用アンカーで、鉄板の端部を固定することを特徴とする被焼却物投入床部構造に使用するプレキャスト版の製造法。
【請求項６】
ゴミ焼却炉又はゴミ溶融炉の被焼却物投入床部の近傍の平滑な適宜床面に、
鉄板のそりを防ぐそり防止手段で、鉄板端部を床面に固定し、鉄板上に吸い付き桟及び主筋等の鉄筋を設けた後、型枠組を行い、コンクリートを打設、養生後、そり防止手段を除去後、鉄板を上面として、被焼却物投入床部に施工することを特徴とする被焼却物投入床部構造の製造方法。
【発明の詳細な説明】
【０００１】
【発明の属する技術分野】
本発明は、ゴミ焼却炉又は溶融炉に使用するごみピットの上部に有し、ゴミ等の被焼却物を投入部位のゴミ焼却炉又は溶融炉における被焼却物投入床部構造及びその製造方法に関する。
【０００２】
【従来の技術】
焼却炉等の被焼却物を投入する投入床部構造は、投入部位から適宜傾斜をもったシュート構造となっている。ところが、被投入物が、廃棄家電等の金属製のものにあっては、被焼却物を投入する際、投入床部を損傷する恐れがある。
この為、このようなゴミ等を対象とするゴミ焼却炉又は溶融炉においては、被焼却物投入床部構造に、強固な鉄製の床構造が必要となる。
そこで、従来は、鉄製の床構造を製造するにあたり、床構造自体に強度を持たせるために、通常の鉄筋コンクリート構造で、斜床版を作業足場支保工事及び型枠工事を行った上で、作成したコンクリート製斜床版の表面に鉄板を設けた構成のものになっている。
そして、この床構造の製造は、通常の建築施工と同様に、鉄筋の骨組みを形成すると共に、表面に鉄板を設け、この骨組み内にコンクリートを打ち込み、表面が鉄製の床部構造として施工していた。
【０００３】
ところが、従来の施工方法では、重量のある打ち込み鉄板を現場にて斜めに仮留めしなければならないことから、下地フレームを組むなど手間がかかる。そして、仮留め後に鉄板で蓋をした状態でコンクリートを注入し打設することになるため、コンクリートのスランプを上げることが必要で、さらに上面が鉄板で、覆われているため、密実なコンクリートが打設できているか確認することが困難である。また、鉄板仮留め後コンクリートを打設することから、鉄板とコンクリートの肌分れが顕著であり、コンクリート側圧により鉄板がはらんだり、鉄板と鉄板の継ぎ目に目違いが、発生していた。
更に、鉄板にコンクリートが打設・確認用の開口を設けた場合は、打設後のはつり、鉄板ふさぎが必要になる。
【０００４】
【発明が解決しようとする課題】
従来の施工方法では、前述のように、施工位置の作業床が斜めの部分での作業性を考慮し、一辺が０．９〜１ｍの鉄板を使用することになる。従って、結果として継ぎ目が多くなる。そして、溶接による入熱量が多くなり、鉄板にそりが発生する為、継ぎ目部に浪打が目立つことになる。
更に、鉄板がコンクリート打設時の型枠を兼用することから、コンクリート打設時にはらむ可能性が高く、鉄板表面の平面度が悪くなる。
また、深いごみピットの上部の斜め部分での作業であることから、安全面でも好ましくなく、作業効率がわるいと言う課題があった。
そこで、本発明では、ゴミ焼却炉又は溶融炉における被焼却物投入床部の施工位置での作業を最小限として、品質の良いゴミ焼却炉又は溶融炉における被焼却物投入床部を提供することを目的とする。
【０００５】
【課題を解決するための手段】
本発明の焼却炉の被焼却物投入床部構造は、上述した目的を達成するため、以下の特徴点を備えている。
すなわち、ゴミ焼却炉又はゴミ溶融炉にゴミ等の被焼却物を搬入投入する表面を鉄製で被覆した被焼却物投入床部において、被焼却物投入床部の施工部位と異なる部位で、鉄板を敷いた上にコンクリートを打設し形成したプレキャスト版を、鉄板部を上面として施工使用することを特徴とする。
また、前記プレキャスト版を形成するに際し、大判の１乃至２枚の鉄板を用いて製作すること、或いは、鉄板の裏面に吸い付き桟及び束筋、主筋及び配力筋を設けたプレキャスト版を用いることが好ましい。
更に、鉄板の接合、及びプレキャスト版内の鉄金等の溶接、及びコンクリートを打設し、プレキャスト版を形成するに際し、鉄板の端部のそりを防ぐそり防止手段を使用し、製造することが出来る。そして前記そり防止手段として、コンクリート床面上に、溶接用アンカーボルトで、鉄板の端部を固定することを特徴とする。
また、ゴミ焼却炉又はゴミ溶融炉の被焼却物投入床部の近傍の平滑な適宜床面に、鉄板のそりを防ぐそり防止手段で、鉄板端部を床面に固定し、鉄板上に吸い付き桟及び主筋等の鉄筋を設けた後、型枠組を行い、コンクリートを打設、養生後、そり防止手段を除去後、鉄板を上面として、被焼却物投入床部に施工することを特徴とする。
【０００６】
このように本発明によれば、焼却炉の被焼却物投入部の施工位置とは異なる位置でプレキャスト版を製作したものを用いることより、鉄板据付のための下地フレームを組む必要がなくなる。そして、コンクリートを打設終了時まで、鉄板にそり防止手段で、そりを防止しつつ、２枚の鉄板の突き付けの溶接、吸い付き桟等の鉄筋構造等の溶接を行っても、鉄板のそりを防止することが出来、その後、コンクリートの打設後は、コンクリートと一体化し平滑な表面鉄板の状態を維持することが出来る。この為、大版の鉄板を作業場所で２枚溶接して、一枚の床版を作成することができ、作業効率を大幅に改善するように作用する。
また、プレキャスト版の製作は、鉄板を下に敷いて施工でき、鉄板とコンクリートの密着度が非常に高く、低スランプでコンクリートを打設することができ、鉄板にコンクリート打設・確認用の開口が必要がなく、コンクリート打設後のはつり、鉄板ふさぎが不要とすることが出来るように作用する。
また、鉄板がコンクリート打設時にはらむ可能性がなく、品質の良好な被焼却物投入床部を施工できる。
【０００７】
【発明の実施の形態】
以下、図面に示す具体的な実施例に基づいて、本発明の一実施形態に係る焼却炉の被焼却物投入床部構造を説明する。
図１〜８は、本発明の実施の形態例に係る焼却炉の被焼却物投入床部構造の製造工程を示す説明図を示すものである。
本発明は、表面の鉄板にコンクリートを打ち込みプレキャスト版を形成し、これを被焼却物投入床部の施工部位に移動し施工させるものである。
まず、本発明に使用するプレキャスト版１０の製造は、工場等の専用の場所で製造する他、ゴミ焼却炉又はゴミ溶融炉を施工する現場で製作しても良い。
現場でプレキャスト版の製作する場合には、プレキャスト版１０を施工する近傍等の適宜位置を整地し、砕石転圧し、均しコンクリートを打ち、全こて仕上げで、±３ｍｍ程度に平らにした床面１１を造り、この上で後述するプレキャスト版１０を製作する。
【０００８】
この床面１１の上に、図１に示すように、セッテング用の基準墨１２をけがき、この基準墨１２に基づいて、被焼却物投入床部の表面となる、例えば、幅が約２ｍ、長さ４．５ｍ、厚み１２ｍｍ程度のような大型の鉄板２を、施工時に柱等が邪魔となる部分等を切除し、２枚並べ突き付ける。
次いで、２枚の鉄板２，２の端部の複数箇所に鉄板の端部のそりを防ぐそり防止手段３を取り付ける。
このそり防止手段３は、例えばごく一般的な溶接用アンカー３０を用い、鉄板２，２の各端部を溶接用アンカー３０に溶接し、床面１１に固定することで行う。  次に、鉄板２，２の突き付け２０に、当て板２１を当て溶接で２枚の鉄板を一体化させる。そして、鉄板に、そりを防ぐ目的等から吸い突き桟４０を溶接する（図２参照）。前記吸い突き桟４０に束筋４１を溶接し（図３参照）、主筋４２，配力筋４３を溶接し、最後に吊りフック４４、４５を溶接し、鉄筋構造を完成させる（図４参照）。
【０００９】
次いで、プレキャスト版１０の外形となる型枠５を施工し（図５参照）、コンクリート６を型枠５内に流し込む（図６参照）、養生後型枠５を取り外す（図７）。この時、前記そり防止手段に溶接用アンカー３０を、サンダー等適宜道具で切断し、図８に示すように完成したプレキャスト版１０が完成する。
なお、上述のコンクリート６を型枠５内に流し込む際に、使用にプレキャスト版１０の下先端部となる部分に、図１２に示すように、アングル形状の打込金物４６と打込金物定着用アンカー４７が設けて成型している。
また図中５０は、プレキャスト版１０の下先端部となる部分へのコンクリートを打ち込む、コンクリート打込用穴である。
【００１０】
次に、上述の完成したプレキャスト版１０の施工について述べる。
プレキャスト版１０は、図９に示すように鉄板２が上面となるように回転させ、被焼却物投入床部の施工部位に適宜移動手段で移動させ、所定の位置にセットする。そして、図１０、１１に示すように、プレキャスト版１０の上端より突出した鉄筋４８の端部を定着するように、投入口７０の下部の梁に飲み込ませ、プレキャスト版１０の上部と本体構造部の柱７２間をコンクリートで固定する。
【００１１】
また、プレキャスト版１０の中程には、プレキャスト版１０に型枠工事終了後、コンクリートを打ち込む前に設けている打込金物６０と、プレキャスト版１０の下端に設けている打込金物４６が設けてある。この打込金物６０は、セット金物６１を溶接し、本体構造部の柱７２等に設けている。
また、プレキャスト版１０の下先端部の梁７１上の所定の位置への固定取付は、図１２に示す如く、打込金物４６に全溶接し固定したプレキャスト版固定アングル６３に穿設し取り付けているケミカルアンカー６４で行う。
次いで、プレキャスト版１０の下端先端面の空間がある場合には、塞ぎ鉄板６５、及び固定アングル６６で塞ぎ、この後、プレキャスト版１０のグラウト注入孔２２から下部の空間にモルタル等適宜材料のグラウト６７を充填し、最後にグラウト注入孔２２等の孔を鉄板で塞ぎ施工を完了する。
【００１２】
【発明の効果】
本発明の焼却炉の被焼却物投入床部構造は、上述した構成を備えているため、以下の効果を奏することができる。
（１）焼却炉の被焼却物投入床部構造の施工位置とは異なる位置でプレキャスト版を製作したものを用いることより、鉄板据付のための下地フレームを組む必要がなくなる他、重量物の取り付け作業が限定されるため、斜め部分での作業機会がほとんどなく、安全性が著しく向上する。
（２）被焼却物投入床部構造に使用するプレキャスト版の製作に際して、コンクリートを打設終了時まで、鉄板にそり防止手段を設けているため、作業中に鉄板への溶接等の入熱によるそりを完全に防止することが出来、大版の鉄板を用いて製作が可能であり、従来の如く継ぎ目溶接の量が大幅に減り、美麗な被焼却物投入床部構造を施工出来る。
（３）被焼却物投入床部構造に使用するプレキャスト版の製作は、平らな安定した場所で、表面となる鉄板を下に敷いて製作できる。
（ａ）鉄板とコンクリートの密着度が非常に高く、低スランプでコンクリートを打設することができので、高品質なコンクリート版が作れる。
（ｂ）鉄板にコンクリート打設・確認用の開口が必要がなく、コンクリート打設後のはつり、鉄板ふさぎをほぼ不要とすることが出来る。
（ｃ）鉄板がコンクリート打設時にはらむ可能性がない。
（４）プレキャスト版の施工期間が、躯体工事期と同時並行作業で行う為ロスタイムが無く、取付施工場所での作業が１日程度になるため、大幅な工程短縮になる。
【図面の簡単な説明】
【図１】本発明に使用するプレキャスト版の製造工程を示す斜視図である。
【図２】本発明に使用するプレキャスト版の製造工程を示す斜視図である。
【図３】本発明に使用するプレキャスト版の製造工程を示す斜視図である。
【図４】本発明に使用するプレキャスト版の製造工程を示す斜視図である。
【図５】本発明に使用するプレキャスト版の製造工程を示す斜視図である。
【図６】本発明に使用するプレキャスト版の製造工程を示す斜視図である。
【図７】本発明に使用するプレキャスト版の製造工程を示す斜視図である。
【図８】本発明に使用するプレキャスト版の完成品の斜視図である。
【図９】本発明に使用するプレキャスト版の施工時の使用状態の体勢を示す斜視図である。
【図１０】本発明の実施の形態例に係る焼却炉の被焼却物投入床部構造にプレキャスト版を施工した状態を示す断面図である。
【図１１】図１０のＡ矢視方向からの説明図である。
【図１２】本発明に係るプレキャスト版下部の施工時の状態を示す斜視図である。
【符号の説明】
１０  プレキャスト版
１１  床面
１２  基準墨
２    鉄板
２０  突き付け
２１  当て板
２２  グラウト注入孔
３    そり防止手段
３０  溶接用アンカー
４０  吸い突き桟
４１  束筋
４２  主筋
４３  配力筋
４４、４５  吊りフック
４６  打込金物
４７  打込金物定着用アンカー
４８  鉄筋
５    型枠
５０  コンクリート打込用穴
６    コンクリート
６０  打込金物
６１  セット金物
６２  アンカーボルト
６３  プレキャスト版固定アングル
６４  ケミカルアンカー
６５  固定アングル
６６  グラウト
７０  投入口
７１  梁
７２  柱
【図１】
0004691861.tif 000002
【図２】
0004691861.tif 000003
【図３】
0004691861.tif 000004
【図４】
0004691861.tif 000005
【図５】
0004691861.tif 000006
【図６】
0004691861.tif 000007
【図７】
0004691861.tif 000008
【図８】
0004691861.tif 000009
【図９】
0004691861.tif 000010
【図１０】
0004691861.tif 000011
【図１１】
0004691861.tif 000012
【図１２】
0004691861.tif 000013